(57)【要約】【課題】  オートストア用メモリを有効に使用してオートストア機能を用いた選局を常に行うことができるようにする。【解決手段】  受信装置１０は複数の放送局から少なくとも国コードを有する放送番組識別コードを含む放送信号を選択的に受信する。受信装置は受信可能な放送局を予め記憶するオートストアモードとなると複数の放送局を順次サーチして、サーチされた放送局から送信された放送信号から国コードを検出し、予め指定された優先国コードに一致する国コードを有する放送局を優先国放送局データとして最終メモリ１５に記憶した後、最終メモリの容量が余っていると優先国コードに不一致の国コードを有する放送局を最終メモリに非優先国放送局データとして記憶して放送局データテーブルを生成する。【選択図】        図１
2006333230.tif 000002
【特許請求の範囲】
【請求項１】
複数の放送局から少なくとも国コードを有する放送番組識別コードを含む放送信号を選択的に受信する受信装置において、
受信可能な放送局を予め記憶するオートストアモードとなると、前記複数の放送局を順次サーチするサーチ手段と、
前記サーチ手段によってサーチされた放送局を放送局データテーブルとして記憶するための第１の記憶手段と、
前記サーチ手段によってサーチされた放送局から送信された放送信号から国コードを検出する国コード検出手段と、
予め指定された優先国コードに一致する国コードを有する放送局を優先国放送局データとして前記第１の記憶手段に記憶した後前記第１の記憶手段の容量が余っていると前記優先国コードに不一致の国コードを有する放送局を前記第１の記憶手段に非優先国放送局データとして記憶して前記放送局データテーブルとする記憶制御手段とを有することを特徴とする受信装置。
【請求項２】
サーチ手段によってサーチされた放送局から送信された放送信号の受信電界強度を検出する電界強度検出手段を有し、
記憶制御手段は優先国放送局データを受信電界強度の高い順に第１の記憶手段に記憶した後非優先国放送局データを受信電界強度の高い順に前記第１の記憶手段に記憶するようにしたことを特徴とする請求項１記載の受信装置。
【請求項３】
国コード検出手段は電界強度検出手段によって検出された受信電界強度が所定の値を越えた際放送信号から国コードを検出するようにしたことを特徴とする請求項２記載の受信装置。
【請求項４】
優先国放送局データを受信電界強度の高い順に記憶する第２の記憶手段と、
非優先国放送局データを受信電界強度の高い順に記憶する第３の記憶手段とを有し、
前記記憶制御手段は前記第２及び前記第３の記憶手段に記憶された前記優先国放送局データ及び前記非優先国放送局データを並び替えて放送局データテーブルとして第１の記憶手段に記憶するようにしたことを特徴とする請求項２又は請求項３記載の受信装置。
【請求項５】
放送局データテーブルに基づいて複数の放送局から放送信号を選択的に受信する受信手段を有することを特徴とする請求項１から請求項４のうちのいずれか１項記載の受信装置。
【発明の詳細な説明】
【技術分野】
【０００１】
この発明は、ラジオ放送に含まれる国識別コードに応じて受信状態の良好な放送局をオートストアする機能を有する受信装置に関するものである。
【背景技術】
【０００２】
一般に、ラジオ受信装置の一つである車載用ラジオ受信装置（以下カーラジオ受信装置と呼ぶ）では、車両の移動に伴って放送局のサービスエリアから外れることがあり、この際には、ユーザはカーラジオ受信装置を操作して、受信可能な放送局の再選局を行う必要がある。そして、受信可能な放送局の再選局を容易にするため、欧州ではＲＤＳ（Ｒａｄｉｏ  Ｄａｔａ  Ｓｙｓｔｅｍ：ラジオデータシステム）が存在している。
【０００３】
ＲＤＳでは、ＦＭラジオ放送にデジタルデータ（以下ＲＤＳデータという）を多重化して送信しており、このＲＤＳデータには、例えば、国コード（国識別コード）及び放送局コードからなるプログラム（放送番組）識別コード（以下ＰＩコードという）が備えられている。
【０００４】
さらには、ＲＤＳデータには、プログラムのジャンル（放送番組のタイプ）を識別するジャンル識別コード（以下ＰＴＹコードという：このＰＴＹコードでは、例えば、クラッシック、ロック、ポピュラー等の複数のジャンル毎に個別のコードが付与される）、同一のプログラムを放送する他の放送局を知らせるための代替局周波数コード（以下ＡＦコードという）、及び放送局名コード（以下ＰＳコードという）が含まれており、ＰＩコードは１６ビット構成で最初の４ビットに国コードが割り当てられている。
【０００５】
一方、カーラジオ受信装置には、受信状態の良好な（受信可能な）放送局を予め選局しておく機能（オートストア機能）が備えられていることが多く、このオートストア機能では、例えば、受信電界強度が強い順に放送局を放送局データテーブルとしてメモリに蓄積するようにしており、カーラジオ受信装置でラジオ放送を受信する際には、放送局データテーブルを参照してユーザが所望の放送局を選局するようにしている。
【０００６】
ところで、オートストア機能では、受信電界強度の強い順に受信可能な放送局がメモリされている関係上、欧州等のように複数の国が隣接している場合には、ユーザに理解できない言語で放送を行う放送局のみがメモリされた状態となって、オートストア機能によってメモリに格納された放送局データテーブルを用いて選局を行うと、ユーザが理解できる言語で放送を受信できないという事態となってしまうことがある。
【０００７】
このような不具合を防止するため、ＲＤＳ放送局を受信する際ＰＩコードをメモリしておき、自動選局時又は自動メモリ時に、メモリされたＰＩコードの国コードと受信する放送局のＰＩコードの国コードを比較して、他国の放送局の受信を禁止するようにしたものがある（例えば、特許文献１参照）。
【０００８】
一方、オートストア指令を検出すると、放送局を順次受信して、予め選択された放送ジャンルに対応する放送ジャンル情報を有する放送局の受信周波数データをプリセットメモリに記憶させ、この受信周波数データに応じて選局を行うようにしたものがある（例えば、特許文献２参照）。
【０００９】
【特許文献１】実開平５−４８４３８号公報（第７頁〜第９頁、第１図〜第５図）
【特許文献２】特開２００３−２１８７２１公報（第３頁〜第５頁、第１図〜第２図）
【発明の開示】
【発明が解決しようとする課題】
【００１０】
ところで、欧州等においては、複数の国が隣接している関係上、特に、国境付近では複数の国の放送局が受信可能な状態となる。ところが、従来のカーラジオ受信装置は以上のように構成されているので、つまり、予め所望のＰＩコードをオートストアしておき、オートストアされた国コードを有する放送局のみを受信するようにしているので、国境付近では他国の放送局が受信できるにも拘らず、他国の放送局を受信できないという事態になってしまう。この結果、自国の放送局で興味のある放送番組が放送されていない際には、ユーザは、新たに受信可能な放送局をサーチしなければならないという課題があった（他国の放送局から放送番組が音楽である際には、言語が理解できなくてもユーザの嗜好に合う場合がある）。
【００１１】
さらに、所望の国コードを自国とした場合、他国内を走行中においては、オートストア機能によっては全く放送局がオートストアされない場合があり、その結果、オートストア機能によって選局を行うことができず、ユーザは、その都度受信可能な放送局をサーチしなければならないという課題があった。
【００１２】
いずれにしても、従来のカーラジオ受信装置では、オートストア用メモリに最大限の放送局をメモリすることができない場合があり、オートストア用メモリを有効に使用できないばかりか、オートストア機能を用いて選局を行うことができないことがある。
【００１３】
この発明は上記のような課題を解決するためになされたもので、オートストア用メモリを有効に使用してオートストア機能を用いた選局を常に行うことのできる受信装置を得ることを目的とする。
【課題を解決するための手段】
【００１４】
この発明に係る受信装置は、複数の放送局から少なくとも国コードを有する放送番組識別コードを含む放送信号を選択的に受信する。受信装置は、受信可能な放送局を予め記憶するオートストアモードとなると複数の放送局を順次サーチするサーチ手段と、サーチ手段によってサーチされた放送局を放送局データテーブルとして記憶するための第１の記憶手段と、サーチ手段によってサーチされた放送局から送信された放送信号から国コードを検出する国コード検出手段と、予め指定された優先国コードに一致する国コードを有する放送局を優先国放送局データとして第１の記憶手段に記憶した後第１の記憶手段の容量が余っていると優先国コードに不一致の国コードを有する放送局を第１の記憶手段に非優先国放送局データとして記憶して放送局データテーブルとする記憶制御手段とを有することを特徴とするものである。
【発明の効果】
【００１５】
この発明によれば、予め指定された優先国コードに一致する国コードを有する放送局を優先国放送局データとして第１の記憶手段に記憶した後、第１の記憶手段の容量が余っていると優先国コードに不一致の国コードを有する放送局を第１の記憶手段に非優先国放送局データとして記憶して放送局データテーブルとするように構成したので、オートストア用メモリである第１の記憶手段を有効に使用することができて、オートストアされた放送局が少なくて選局ができないという事態を回避することができるという効果がある。
【発明を実施するための最良の形態】
【００１６】
実施の形態１．
ここでは、受信装置として、ＲＤＳによるラジオ放送を受信するカーラジオ受信装置について説明する。図１において、実施の形態１に係るカーラジオ受信装置１０は、受信機１１、ＲＤＳデータ復調部１２、制御部１３、中間メモリ部１４、最終メモリ（第１の記憶手段）１５、入力手段１６、及び表示手段１７を備えており、中間メモリ部１４は第１及び第２のメモリ１４ａ及び１４ｂ（第２及び第３の記憶手段）を有している。
【００１７】
受信機１１はアンテナ１８を介して複数の放送局から放送波を選択的に受信しており、受信機１１では放送波を受信すると、この放送波を中間周波（ＩＦ）信号に変換して、ＩＦ信号を増幅した後ＩＦ信号を検波復調して復調信号として出力する。ＲＤＳ復調部１２はこの復調信号を受け、復調信号中のＲＤＳデータを復調（復号化）し、制御部１３に与える。さらに、前述のＩＦ信号が制御部１３に与えられており、制御部１３は後述するようにして、受信機１１の受信周波数を設定制御する。
【００１８】
制御部１３は、受信周波数設定手段２１、電界強度検出手段２２、ＰＩコード（国コード）検出手段２３、メモリ制御手段（記憶制御手段）２４、及び主制御手段２５を有しており、メモリ制御手段２４は中間メモリ部１４及び最終メモリ１５に接続されるとともに、表示手段１７に接続されている。また、主制御手段２５には入力手段１６が接続されている。
【００１９】
受信周波数設定手段２１は、主制御手段２５の制御下で受信機１１に受信周波数を設定しており、受信機１１は設定された受信周波数の放送波を受信することになる。ユーザが入力手段１６によって所望の放送局を選局すると、主制御手段２５によって所望の放送局に係る放送周波数が受信周波数設定手段２１に与えられて、受信周波数設定手段２１によって受信機１１に放送周波数が受信周波数として設定される。
【００２０】
電界強度検出手段２２では、ＩＦ信号に応じて受信放送局の受信電界強度を検出しており、受信電界強度が予め規定された値（所定値）を越えると、この受信電界強度をＰＩコード検出手段２３に与える。一方、ＰＩコード検出手段２３では受信電界強度を受けた復調信号に係るＲＤＳデータ中のＰＩコードから国コードを検出して、この国コードと受信電界強度とを対応付けて対とし放送局データとしてメモリ制御手段２４に与える。
【００２１】
メモリ制御手段２４では、主制御手段２５からオートストア指令が与えられている際に、後述するようにして、一旦放送局データを中間メモリ部１４に記録した後、この中間メモリ部１４に記録された放送局データを並べ替えた後、オートストアデータ（放送局データテーブル）として最終メモリ１５に記録する。そして、最終メモリ１５に記録された放送局データテーブルはメモリ制御手段２４によって読み出されて表示手段１７に表示され、主制御手段２５は放送局データテーブルを参照して選局を行うことになる。
【００２２】
次に動作について説明する。
図１及び図２を参照して、いま、ユーザが入力手段１６を用いて欧州のある国（例えば、ドイツ）を優先国として指定し、オートストアボタンを押すと、主制御手段２５は、ドイツを優先国コードとするオートストアモードを実行する。主制御手段２５はメモリ制御手段２４に優先国コードを含むオートストア指令を送るとともに、受信周波数設定手段２１を制御して受信機１１の受信周波数を順次変更して受信する放送局を変更する（この受信周波数、つまり、放送局周波数はメモリ制御手段にも与えられる）。
【００２３】
前述したようにして、電界強度検出手段２２では受信周波数に対応してＩＦ信号に基づいて受信電界強度を検出して受信電界強度が所定値を越えるか否かを判定する（ステップＳＴ１）。そして、受信電界強度が所定値を越えると、電界強度受信手段２２はこの受信電界強度をＰＩコード検出手段２３に与える。ＰＩコード検出手段２３ではＲＤＳデータから国コードを検出して（ステップＳＴ２）、国コードが検出されると、ＰＩコード検出手段２３では受信電界強度と国コードとの対を放送局データとしてメモリ制御手段２４に与える。
【００２４】
メモリ制御手段２４は放送局データ中に含まれる国コードが優先国コードであるか否かを判定して（ステップＳＴ３）、優先国コードであると、放送局データ（優先国放送局データ）を中間メモリ部１４中の第１メモリ１４ａに格納する（ステップＳＴ４）。一方、優先国コードでないと、放送局データ（非優先国放送局データ）を中間メモリ部１４中の第２メモリ１４ｂに格納する（ステップＳＴ５）。なお、ステップＳＴ２で万が一国コードが検出されないと、電界強度のみが放送局データとして第２のメモリ１４ｂに記憶される。
【００２５】
前述したように、主制御手段２５は受信周波数設定手段２１を制御して受信機１１の受信周波数を順次変更しており、全ての放送局（全周波数）についてサーチが完了したか否かを判定して（ステップＳＴ６）、全ての周波数について完了すると、その旨メモリ制御手段２４に報知する。これによって、メモリ制御手段２４は第１のメモリ１４ａ中の放送局データを受信電界強度の高い順並べ替える。同様にして、メモリ制御手段２４は第２のメモリ１４ｂ中の放送局データを受信電界強度の高い順並べ替える。一方、ステップＳＴ６において全周波数が完了していないと、ステップＳＴ１に戻って処理を続行する。
【００２６】
メモリ制御手段２４では、第１及び第２のメモリ１４ａ及び１４ｂから放送局データを読み出して、これら放送局データについて受信電界強度の最も高い順に放送局データを並べて、最も受信電界強度が大きい放送局データに電界強度昇順”１”を付与する。続いて、メモリ制御手段２４は第１のメモリ１４ａに格納された放送局データ、つまり、優先国コードがドイツである放送局データを、電界強度昇順の順序に並べて電界強度昇順の高いものから順にオートストア番号”１”、”２”、…を付与する。そして、優先国コードがドイツである放送局データの後に、優先国コードがドイツでない国を電界強度昇順の順序に並べてオートストア番号を付与して、放送局データテーブル（つまり、オートストアデータ）を生成し、この放送局データテーブルを最終メモリ１５に格納する（ステップＳＴ７）。
【００２７】
図３は最終メモリ１５に格納された放送局データテーブルを示す図であり、この放送局データテーブルは、オートストア番号、電界強度昇順、及び放送局の国別コードを有しており、オートストア番号は放送局周波数に対応付けられている。図３に示す例では、オートストア番号”１”から”７”までが、第１のメモリ１４ａに格納された放送局データであり、オートストア番号”８”から”１０”までが、第２のメモリ１４ｂに格納された放送局データである。
【００２８】
なお、図示の最終メモリ１５は、１０局分の放送局データを格納する容量を有しており、優先国コードがドイツである放送局データが１０個以上である際には、電界強度昇順の高いものから１０個が最終メモリ１５に格納されることになる。一方、優先国コードがドイツである放送局データが９個以下である際には、電界強度昇順の高いものから順次優先国コードがドイツである放送局データが最終メモリ１５に格納され、優先国コードがドイツでない放送局データが電界強度昇順の順に、最終メモリ１５内の全放送局データの個数が１０個となるまで格納されることになって、常に最終メモリ１５には１０個の放送局データが格納されることになる。
【００２９】
つまり、受信電界強度昇順の順に優先国コードに一致する国コードを有する放送局を優先国放送局データとして最終メモリ１５に記憶した後、最終メモリ１５の容量が余っている際には、優先国コードに不一致の国コードを有する放送局を非優先国放送局データとして、最終メモリ１５が一杯になるまで記憶して放送局データテーブルを生成することになる。
【００３０】
このようにして、最終メモリ１５に放送局データテーブルを格納した後（オートストアが完了した後）、メモリ制御手段２４は放送局データテーブルを表示手段１７に表示する。この際、オートストア番号に対応付けて、例えば、放送局名が表示される。そして、ユーザは表示手段１７に表示された放送局データテーブルを参照して、入力手段１６から選局を行うと、つまり、オートストア番号を入力すると、主制御手段２５はメモリ制御手段２４を介して放送局データテーブルを参照して、該当する放送局周波数を受信周波数として受信周波数設定手段２１で受信機１１に設定する。これによって、受信機１１は入力手段１６から入力されたオートストア番号を有する放送局を受信することになる。
【００３１】
また、オートストアが完了した後、主制御手段２４がメモリ制御手段２４を介して放送局データテーブルを参照して、オートストア番号１の放送局周波数を受信周波数として受信周波数設定手段２１で受信機１１に設定するようにしてもよい。
【００３２】
なお、上述の説明では、優先国コードはユーザが入力手段１６から設定する例について説明したが、車両登録国情報に基づいて優先国コードを設定するようにしてもよく、さらにはプリセット局にストアされた放送局で最も多い国コードを優先国コードとするようにしてもよい。そして、ＧＰＳシステム等で得られた車両位置情報で示す国、つまり、車両が位置する国を優先国コードとするようにしてもよい。また、上述の説明から明らかなように、主制御手段２５、受信周波数設定手段２１、及び受信機１１がサーチ手段及び受信手段として機能することになる。
【００３３】
以上のように、この実施の形態１によれば、優先国放送局データを最終メモリに記憶した後、最終メモリの容量が余っていると非優先国放送局データを最終メモリに記憶して放送局データテーブルを生成するようにしたので、最終メモリを常に有効に使用することができるという効果があるばかりでなく、オートストアされた放送局が少なくて選局ができないという事態を回避することができるという効果がある。
【００３４】
この実施の形態１によれば、優先国放送局データ及び非優先国放送局データを受信電界強度の高い順に記憶するようにしたので、常に受信状態の良好な放送局を優先的に受信することができるという効果がある。そして、この際、電界強度検出手段２２によって検出された受信電界強度が所定の値を越えた際にのみ放送信号から国コードを検出するようにしたので、受信状態が良好な放送局の国コードのみ選別することができるという効果がある。
【００３５】
この実施の形態１によれば、一旦優先国放送局データを受信電界強度の高い順に第１のメモリに記憶するとともに、非優先国放送局データを受信電界強度の高い順に第２のメモリに記憶した後、第１及び第２のメモリに記憶された優先国放送局データ及び非優先国放送局データを並び替えて放送局データテーブルとして最終メモリに記憶するようにしたので、優先国放送局データの後に非優先国放送局データを記憶する記憶処理を容易に行えるという効果がある。
【図面の簡単な説明】
【００３６】
【図１】この発明の実施の形態１による受信装置の構成を示すブロック図である。
【図２】図１に示す受信装置におけるオートストア動作を説明するためのフローチャートである。
【図３】図１に示す最終メモリに記憶された放送局データテーブルの一例を示す図である。
【符号の説明】
【００３７】
１０  カーラジオ受信装置、１１  受信機、１２  ＲＤＳデータ復調部、１３  制御部、１４  中間メモリ部、１５  最終メモリ、１６  入力手段、１７  表示手段、１４ａ  第１メモリ、１４ｂ  第２メモリ、１８  アンテナ、２１  受信周波数設定手段、２２  電界強度検出手段、２３  ＰＩコード（国コード）検出手段、２４  メモリ制御手段、２５  主制御手段。
【図１】
2006333230.tif 000003
【図２】
2006333230.tif 000004
【図３】
2006333230.tif 000005